(57)【要約】【課題】衣服等の布地製品に自由なデザインによる装飾を施すことができる装飾模様を備える装飾用シートを提供する。【解決手段】装飾用シート（１０）は、その表面に薔薇の各部分がカラー写真印刷された３列の個々の図形（１２，１４，１６，１８）と、その裏面に塗布された感熱性接着剤層（２０）とを備える。各図形（１２，１４，１６，１８）はその輪郭の全周に沿って、４つの継ぎ目（２２）を残して設けられた４つの切れ目（２４）を備える。使用に際して、該切れ目に沿って各図形を装飾用シート（１０）から切り取り、切り取った各シート片を組み合わせて好みに応じたデザインを創造できる。組み合わせたシート片を衣服等の布地製品に取り付けることによって自由な装飾を施すことができる。【選択図】図１
0003133250.tif 000002
【実用新案登録請求の範囲】
【請求項１】
布地製品の装飾に用いられる各装飾模様が個別に印刷される装飾用シートであって、
前記各装飾模様は物品を構成する各部分を表す図形を含み、
前記装飾用シートは、前記図形の輪郭の全周に沿って、２以上の継ぎ目を残して設けられた切れ目を備える、装飾用シート。
【請求項２】
前記装飾用シートはその裏面に感熱接着剤層を備える、請求項１に記載の装飾用シート。
【請求項３】
前記図形は草花を構成する、花被、花冠、葉、茎、及び蕾のうちの少なくとも１つを含む、請求項１に記載の装飾用シート。
【請求項４】
前記各装飾模様はカラー印刷される、請求項１に記載の装飾用シート。
【請求項５】
請求項１から請求項４のいずれかに記載の装飾用シートからなる、リボン。
【考案の詳細な説明】
【技術分野】
【０００１】
本考案は、カーテン、衣服等の布地製品の装飾に用いられる装飾模様を複数備える装飾用シート及びそのリボンに関する。
【背景技術】
【０００２】
従来、前記布地製品の装飾手段としてアップリケが用いられている。アップリケは、その使用に際し、前記布地製品の表面に縫い付けによって取り付けるものの他、アイロン等の熱によって簡易に取り付けられるものも考案されている（例えば、特許文献１参照）。
【０００３】
【特許文献１】特開２００２−１４６６５８号公報
【０００４】
しかし、このようなアップリケは所定の大きさを有する、単独の模様、図形、文字からなり、パーツの組合せにより、クリエイティブなデザインのバリエーションを楽しむことはできなかった。このため、特に、ユーザは自由なデザインを持つアップリケを楽しむことができず、たとえ斬新なデザインのアップリケであっても、ワンパターンのデザインに我慢していた。
【考案の開示】
【考案が解決しようとする課題】
【０００５】
本考案の目的は、前記布地製品に個性的なデザインによる装飾を施すことができる装飾模様を備える装飾用シート及びそのリボンを提供することにある。
【課題を解決するための手段】
【０００６】
本考案に係る装飾用シートは、布地製品の装飾に用いられる各装飾模様が個別に印刷される装飾用シートであって、前記各装飾模様は物品を構成する各部分を表す図形を含み、前記装飾用シートは、前記図形の輪郭の全周に沿って、２以上の継ぎ目を残して設けられた切れ目を備える。ここで、「物品」とは、動植物等の生物及び自動車等の無生物を含む有体物であり、例えば昆虫、果物、野菜、樹木、及び花も含む。
【０００７】
前記装飾用シートはその裏面に感熱接着剤層を備えることができる。
【０００８】
前記図形は草花を構成する、花被、花冠、葉、茎、及び蕾のうちの少なくとも１つを含むことができる。
【０００９】
前記装飾模様はカラー印刷されるものとすることができる。
【００１０】
前記装飾用シートをリボンにすることができる。
【考案の効果】
【００１１】
本考案の装飾用シート及びそのリボンは、布地製品の装飾に用いられる各装飾模様が物品を構成する各部分を表す図形を含み、前記装飾用シート及びそのリボンは、前記図形の輪郭の全周に沿って、２以上の継ぎ目を残して設けられた切れ目を備えるので、ユーザは、装飾用シート及びそのリボンから切れ目に沿って切り離した、各装飾模様が印刷されたシート片を自由に組み合わせて好みに応じた物品のデザインを造ることができる。組み合わせたシート片を衣服等の布地製品に取り付けることによって自由な装飾を施すことができる。
【００１２】
また、前記装飾用シート及びそのリボンはその裏面に感熱接着剤層を備えさせることができるので、組み合わせた前記シート片を衣類等の布地製品に配置した後、アイロン等によって熱を与え、布地製品に容易に取り付けることができる。
【００１３】
さらに、前記装飾用シート及びそのリボンは、装飾模様が草花を構成する各部分を表す図形である場合にはフラワーアレンジメントの創作性の要素を取り入れることができる。
【考案を実施するための最良の形態】
【００１４】
図１を参照すると、衣服等の布地製品の装飾のために使用される模様のパーツを複数備える装飾用シートの一部が符号１０で示されている。
【００１５】
装飾用シート１０は、その表面にカラー写真印刷された４列の個々の模様からなる図形１２，１４，１６，１８と、その裏面に塗布された感熱接着剤層２０とを備える。
【００１６】
図形１２，１４，１６，１８は装飾用シート１０の長手方向に連続する。図１では、第１列から第４列は各々、３種類のパターンの薔薇の葉の図形１２、２種類のパターンの薔薇の花の図形１４、２種類のパターンの薔薇の蕾の図形１６、及び２種類のパターンの薔薇の茎の図形１８を含む。
【００１７】
また、各図形１２，１４，１６，１８はその各輪郭の全周に沿って、４つの継ぎ目２２を残して設けられた４つの切れ目２４を備える。切れ目２４は各図形１２，１４，１６，１８を含むシート片をパーツとして装飾用シート１０から切り取るための切取線としての役割を果たし、また継ぎ目２２は抜片であるシート片を装飾用シート１０から切り離す前に支持する役割を果たす。
【００１８】
本考案の装飾用シート１０は、その表面に各図形１２，１４，１６，１８を写真印刷し、その裏面に接着剤層２０を塗布し、そしてレーザ等の切断手段によって図形の輪郭に沿って所定の位置に、例えば図形の中心から９０度ごとに４つの継ぎ目２２を残して切れ目２４を施すことによって製造される。切断手段として熱源やレーザを使用すると、切れ目２４におけるシート材料は溶融されるので、ホツレを防ぐことができる。
【００１９】
ここで、装飾用シート１０は、ナイロン繊維、ポリエステル繊維のような合成繊維製、アセテートのような化学繊維製、天然繊維製等の織物、ポリプロピレン製やビニル製のテープ等から構成される。
【００２０】
装飾用シート１０の使用に際しては、ユーザは好みの模様の図形を装飾用シート１０から選択して切り離し、切り離したシート片（抜き片）を好みに応じて組み合わせて衣類等の布地製品に配置した後、配置したシート片にそれらの表面からアイロン等によって熱を与えることよって接着剤層２０を溶融させ、配置したシート片を布地製品に溶着する。これにより、好みのデザインからなる草花模様の装飾を布地製品に施すことができる。図２には、切り離したシート片を組み合わせて布地製品に溶着するための装飾模様からなる花束を表すリボンデコパージュ２６の一例を示す。
【００２１】
なお、１つのシート片を加熱して布地製品に溶着した後に、その上に別のシート片を順次、重ねて加熱することを繰り返して、布地製品に溶着し、装飾デザインを創造することもできる。もちろん、ユーザは、各図形１２，１４，１６，１８の輪郭形状にかかわらず、好みに応じて切断して使用することもできる。
【００２２】
図３を参照すると、衣服等の布地製品の装飾のために使用される模様のパーツを複数備える装飾用シートからなるリボンの一部が符号３０で示されている。
【００２３】
リボン３０は薔薇の花冠を表す２種類の装飾模様が連続するパターンを有する。
【００２４】
このリボン３０は図１に示される装飾用シート１０の図形１４と同じ構成を備えるので、同じ参照番号を付して、その説明を省略する。また、リボン３０の構成材料も装飾用シート１０と同じ材料で構成される。
【００２５】
本実施例では、本考案の装飾用シート及びそのリボンに対して、薔薇の花に係るパーツの図形を適用したが、動物、昆虫又は他の植物、例えば果物、野菜、樹木、及び他の花に係る図形を適用することができる。
【図面の簡単な説明】
【００２６】
【図１】本考案に係る装飾用シートの一部を示す部分斜視図である。
【図２】本考案に係る装飾用シートから切り取った装飾模様のシート片を組み合わせて創り上げた花束のリボンデコパージュの一例を示す図である。
【図３】本考案に係るリボンの一部を示す部分斜視図である。
【符号の説明】
【００２７】
１０  装飾用シート
１２、１４、１６、１８  図形
２０  接着剤層
２２  継ぎ目
２４  切れ目
２６  花束を表すリボンデコパージュ
３０  リボン
【図１】
0003133250.tif 000003
【図２】
0003133250.tif 000004
【図３】
0003133250.tif 000005